(57)【要約】本発明は、二重殻構造タンクにおける内槽（６０）と外槽の間に、ブランケット(２)と運搬治具(３)が一体的に結合されてなるブランケットユニット（１）を吊り下げた状態で運搬する運搬工程と、前記ブランケットユニットを前記内槽の側板に取り付ける取付工程と、を有するブランケット設置方法を提供する。本発明によれば、ブランケットの設置作業時における作業効率及び安全性の向上を図ることができる。
2012063937.tif 000002
【特許請求の範囲】
【請求項１】
二重殻構造タンクにおける内槽と外槽の間に、ブランケットと運搬治具が一体的に結合されてなるブランケットユニットを吊り下げた状態で運搬する運搬工程と、
前記ブランケットユニットを前記内槽の側板に取り付ける取付工程と、
を有するブランケット設置方法。
【請求項２】
前記ブランケットは前記運搬治具にピン止めされている請求項１に記載のブランケット設置方法。
【請求項３】
前記運搬治具が、前記ブランケットユニットを前記内槽と外槽との間に設置した際に上下方向に延びるストラップと、ストラップに設けられたブランケット固定ピンとを備え、前記ブランケットを前記ストラップに対向させてブランケット固定ピンをブラケット内に押し込むことにより、前記ブランケットが前記運搬治具にピン止めされている請求項２に記載のブランケット設置方法。
【請求項４】
前記ブランケットユニットに設けられた運搬用ボルトにフックを引掛けることで、前記ブランケットユニットを吊り下げた状態で運搬する請求項１に記載のブランケット設置方法。
【請求項５】
前記ブランケットユニットに設けられた運搬用ボルトにフックを引掛けることで、前記ブランケットユニットを吊り下げた状態で運搬する請求項２に記載のブランケット設置方法。
【請求項６】
前記内槽の側板に予め固定されたアンカーロッドを前記ブランケットユニットに貫通させて前記アンカーロッドをナット締めすることで、前記ブランケットユニットを前記内槽の側板に取り付ける請求項１に記載のブランケット設置方法。
【請求項７】
前記内槽の側板に予め固定されたアンカーロッドを前記ブランケットユニットに貫通させて前記アンカーロッドをナット締めすることで、前記ブランケットユニットを前記内槽の側板に取り付ける請求項２に記載のブランケット設置方法。
【請求項８】
前記内槽の側板に予め固定されたアンカーロッドを前記ブランケットユニットに貫通させて前記アンカーロッドをナット締めすることで、前記ブランケットユニットを前記内槽の側板に取り付ける請求項４に記載のブランケット設置方法。
【請求項９】
前記内槽の側板に予め固定されたアンカーロッドを前記ブランケットユニットに貫通させて前記アンカーロッドをナット締めすることで、前記ブランケットユニットを前記内槽の側板に取り付ける請求項５に記載のブランケット設置方法。
【発明の詳細な説明】
【技術分野】
【０００１】
本発明は、ブランケット設置方法に関する。
本願は、２０１０年１１月１１日に日本に出願された特願２０１０−２５２８９５号に基づき優先権を主張し、その内容をここに援用する。
【背景技術】
【０００２】
従来、液化天然ガス（ＬＮＧ）等の極低温液体を貯蔵するタンクとして、外槽と内槽からなる二重殻構造タンクが知られている。このような二重殻構造タンクでは、外槽と内槽の間の空間に粒状パーライトが保冷剤として充填されて保冷層が形成される（下記特許文献１参照）。また、内槽の側板（外壁面）には、内槽の外部（保冷層）と内部の圧力差によって内槽が潰されることを防止するためのレジリアントブランケット（以下、ブランケットと略す）が設置されている。
【先行技術文献】
【特許文献】
【０００３】
【特許文献１】特開昭６１−１６５０９７号公報
【発明の概要】
【発明が解決しようとする課題】
【０００４】
従来では、外槽及び内槽の組み立て後、内槽の側板に複数のアンカーピンを取付け、それらのアンカーピンにブランケットを刺して固定している。しかしながら、そのブランケットの固定作業中にアンカーピンが折れたり、脱落する等して補修作業が頻発し、作業効率の低下を招いている。また、内外槽間の１．０〜１．２ｍ程度の狭い空間で、長さ０．３〜０．４ｍ程度のアンカーピンの取付作業を行う必要があるため、取付作業中にアンカーピンが破損したり、安全上格別の注意が必要となる等の問題が生じる場合がある。【０００５】
本発明は上述した事情に鑑みてなされたものであり、ブランケットの設置作業時における作業効率及び安全性の向上を図ることを目的とする。
【課題を解決するための手段】
【０００６】
上記目的を達成するために、本発明では、ブランケット設置方法に係る第１の解決手段として、二重殻構造タンクにおける内槽と外槽の間に、ブランケットと運搬治具が一体的に結合されてなるブランケットユニットを吊り下げた状態で運搬する運搬工程と、前記ブランケットユニットを前記内槽の側板に取り付ける取付工程とを有するブランケット設置方法を提供する。【０００７】
また、本発明のブランケット設置方法に係る第２の解決手段として、上記第１の解決手段において、前記ブランケットは運搬治具にピン止めされていてもよい。
上記第２の解決手段において、運搬治具が、前記ブランケットユニットを前記内槽と外槽との間に設置した際に上下方向に延びるストラップと、ストラップに設けられたブランケット固定ピンとを備えていてもよい。この場合、前記ブランケットを前記ストラップに対向させてブランケット固定ピンをブラケット内に押し込むことにより、前記ブランケットが前記運搬治具にピン止めされる。【０００８】
また、本発明のブランケット設置方法に係る第３の解決手段として、上記第１または第２の解決手段において、前記ブランケットユニットに設けられた運搬用ボルトにフックを引掛けることで、前記ブランケットユニットを吊り下げた状態で運搬してもよい。【０００９】
また、本発明のブランケット設置方法に係る第４の解決手段として、上記第１〜第３のいずれか１つの解決手段において、前記内槽の側板に予め固定されたアンカーロッドを前記ブランケットユニットに貫通させて前記アンカーロッドをナット締めすることで、前記ブランケットユニットを前記内槽の側板に取り付けてもよい。
【発明の効果】
【００１０】
本発明に係るブランケット設置方法によれば、従来のように内槽の側板にアンカーピンを取り付ける必要がない。そのため、ブランケットの設置作業時におけるアンカーピンの破損や安全上の問題がなくなり、作業効率及び安全性の向上を図ることが可能となる。
【図面の簡単な説明】
【００１１】
【図１Ａ】本実施形態におけるブランケットユニットを構成する運搬治具の、ブランケットユニットの組み立て前の平面図である。
【図１Ｂ】本実施形態におけるブランケットユニットの組み立て方法を説明する図である。
【図１Ｃ】本実施形態におけるブランケットユニットの組み立て方法を説明する図である。
【図２Ａ】本実施形態におけるブランケットユニットを構成する運搬治具の、ブランケットユニットの組み立て中の平面図である。
【図２Ｂ】本実施形態におけるブランケットユニット１の組み立て方法を説明する図である。
【図３】本実施形態におけるブランケット設置方法を説明する図である。
【図４Ａ】本実施形態におけるブランケット設置方法を説明する図である。
【図４Ｂ】本実施形態におけるブランケット設置方法を説明する図である。
【発明を実施するための形態】
【００１２】
以下、本発明の一実施形態について、図面を参照しながら説明する。
まず、図１ないし図２Ｂを参照しながら、本実施形態におけるブランケットユニット１の組み立て方法について説明する。なお、ブランケットユニット１とは、引張強度が弱く、自重によって破断し易いグラスウール製のブランケット２を吊り下げた状態で運搬するために、ブランケット２とその運搬治具３を一体的に結合して構成される。
【００１３】
図１Ａは、ブランケットユニット１を構成する運搬治具３の平面図である。この図に示すように、運搬治具３は、長方形状をなすアルミ製の支持板３１と、この支持板３１の両側に１本ずつ接続された帯状のステンレス鋼板（以下、ストラップと称す）３２とから構成されている。支持板３１には、複数の運搬用ボルト３３が一定間隔で貫通挿入されている。また、各ストラップ３２には、複数のブランケット固定ピン３４が一定間隔でスタッド溶接されている。
【００１４】
この運搬治具３に対して、図１Ｂに示すように、ブランケット２を向かい合わせた状態で押し込むことで、ブランケット２に運搬治具３の運搬用ボルト３３及びブランケット固定ピン３４を刺し込む。そして、図１Ｃに示すように、支持板３１と同一形状の支持板３５を、ブランケット２を挟んで支持板３１に対向するように配置して押し込むことで、ブランケット２を圧縮しつつ支持板３５に運搬用ボルト３３を貫通挿入させ、さらに、運搬用ボルト３３を支持板３５側からワッシャー３６及びボルト３７を用いて締め付けることで、ブランケット２を挟んだ状態で支持板３１と３５を固定する。
【００１５】
最後に、図２Ａ及び図２Ｂに示すように、支持板３５の表面に複数のブランケット固定ピン３４を一定間隔でスタッド溶接した後、支持板３５の両側から支持板３１まで貫通する貫通孔３８を２つ設けることで、ブランケット２と運搬治具３が一体的に結合されたブランケットユニット１が完成する。なお、このようなブランケットユニット１の組み立ては、現地（二重殻構造タンクの建設場所）の水平な場所で行っても良いし、或いは工場で行っても良い。
【００１６】
次に、図３ないし図４Ｂを参照しながら、本実施形態におけるブランケット設置方法について説明する。なお、図３において、符号５０は二重殻構造タンクの外槽であり、符号５１は外槽５０の天井に設置された作業用クレーンであり、符号６０は二重殻構造タンクの内槽であり、符号６１は内槽６０の側板に予めスタッド溶接されたアンカーロッドである。アンカーロッド６１は、内槽６０の側板の周方向及び高さ方向に沿って一定間隔で複数取り付けられている。
【００１７】
まず、図３に示すように、作業用クレーン５１を利用して、予め組み立てておいたブランケットユニット１を吊り下げた状態で外槽５０と内槽６０との間に運搬する（運搬工程）。この時、作業用クレーン５１のフックをブランケットユニット１の運搬用ボルト３３に引掛けるだけで、容易にブランケットユニット１を吊り下げた状態で運搬することができる。また、ブランケット２は、ストラップ３２に設けられたブランケット固定ピン３４によって運搬治具３にピン止めされているため、吊り下げた状態で運搬しても自重によって破断することはない。
【００１８】
そして、ブランケットユニット１の貫通孔３８にアンカーロッド６１を貫通挿入した後、そのアンカーロッド６１をナット締めすることで、ブランケットユニット１を内槽６０の側板に取り付ける（取付工程）。このようなブランケットユニット１の取付作業を内槽６０の下側から行い、下側での取付け作業が完了した後、上側での取付け作業を実施する。図４Ａ及び図４Ｂは、内槽６０の側板にブランケットユニット１が取り付けられた状態を示す図である。
【００１９】
図４Ａ及び図４Ｂに示すように、各アンカーロッド６１にブランケットユニット１を取り付けた後、各ブランケットユニット１のストラップ３２に設けられたブランケット固定ピン３４の先端にワッシャー３９を配置することで、各ブランケット２をストラップ３２に締め付ける。また、上側のブランケットユニット１におけるブランケット２の下端部分を、下側のブランケットユニット１における支持板３５に設けられたブランケット固定ピン３４に刺し込んで固定する。
【００２０】
上側のブランケットユニット１におけるブランケット２の上端部分は、内槽６０の上部に接着剤等を用いて接着する。さらに、上側のブランケットユニット１における支持板３５に設けられたブランケット固定ピン３４には、内槽６０の上部から吊り下げられたブランケット２を刺し込んで固定する。最後に、各ブランケットユニット１をカバー部材４０で覆ってブランケット２の設置作業が完了する。
【００２１】
以上説明したように、本実施形態におけるブランケット設置方法によれば、ブランケット設置作業に先立ちブランケットユニット１を組み立てる過程で、ブランケット固定ピン３４によるブランケット２の固定作業が完了する。そのため、ブランケット設置作業中にブランケット固定ピン３４が破損する可能性がなくなり、その結果、補修作業が不要となり、作業効率が向上する。また、従来のように、内外槽間の狭い空間でブランケット固定ピン３４の取り付け作業を行う必要がなくなるため、安全性も向上する。
【００２２】
なお、本発明は上記実施形態に限定されず、本発明の趣旨を逸脱しない範囲において変更可能なあることは勿論である。例えば、上記実施形態では、図１に示したような構成を有する運搬治具３を例示したが、この運搬治具３の構成はこれに限定されるものではなく、自重によって破断し易いブランケット２を吊り下げた状態で運搬することが可能な構成であれば、他の構成を採用しても良い。
また、上記実施形態では、内槽６０の側板に上下２段のブランケットユニット１を設置する場合を例示したが、本発明はこれに限らず、ユニットの組立・運搬上の制約条件によって１段或いは上下３段以上のブランケットユニット１を設置しても良い。
【産業上の利用可能性】
【００２３】
本発明によれば、二重殻構造タンクの内外槽間へのブランケットの設置作業時における作業効率及び安全性の向上を図ることができる。
【符号の説明】
【００２４】
１…ブランケットユニット、２…ブランケット、３…運搬治具、３１、３５…支持板、３２…ストラップ、３３…運搬用ボルト、３４…ブランケット固定ピン、５０…外槽、５１…作業用クレーン、６０…内槽、６１…アンカーボルト
【図１Ａ】
2012063937.tif 000003
【図１Ｂ】
2012063937.tif 000004
【図１Ｃ】
2012063937.tif 000005
【図２Ａ】
2012063937.tif 000006
【図２Ｂ】
2012063937.tif 000007
【図３】
2012063937.tif 000008
【図４Ａ】
2012063937.tif 000009
【図４Ｂ】
2012063937.tif 000010
【国際調査報告】
2012063937.tif 000011
2012063937.tif 000012
2012063937.tif 000013
2012063937.tif 000014